(57)【要約】【課題】壁材の加工の必要がなく、壁材を鎧張り状構造等に固定する際に壁材を手や腕でしっかりと押さえて支持しながら施工する必要がなく、施工を容易にできる支持部材を提供する。【解決手段】支持部材１は、第１の壁材６ａに仮固定されるように構成された固定部２と、第１の壁材６ａに重ねて設置される第２の壁材６ｂを支持するように構成された支持部３と、固定部２の仮固定を解除可能に構成された手掛かり部４とを有する。【選択図】図１
2015098745.tif 000002
【特許請求の範囲】
【請求項１】
第１の壁材に仮固定されるように構成された固定部と、
前記第１の壁材に重ねて設置される第２の壁材を支持するように構成された支持部と、
前記固定部の仮固定を解除可能に構成された手掛かり部とを有することを特徴とする支持部材。
【請求項２】
前記固定部は、切欠を有し、前記手掛かり部は、前記固定部の下端部に設けられていることを特徴とする請求項１に記載の支持部材。
【請求項３】
前記固定部は、第１片と、前記第１片に設けられた第２片とを有し、前記手掛かり部は、前記固定部の側部に設けられていることを特徴とする請求項１に記載の支持部材。
【請求項４】
前記固定部は、第１片と、前記第１片に設けられた第２片と、前記第２片に設けられ前記第１片と略平行に延出する第３片とを有し、前記手掛かり部は、前記固定部の側部に設けられていることを特徴とする請求項１に記載の支持部材。
【請求項５】
請求項１に記載の支持部材を用いて、壁材を施工する方法であって、
前記支持部材を前記固定部で第１の壁材に仮固定し、
前記支持部材の前記支持部に、第２の壁材を載せて、前記第２の壁材を前記第１の壁材に重ね、
前記第２の壁材を壁下地に固定した後、前記手掛かり部により前記支持部材の前記固定部の仮固定を解除することを特徴とする壁材の施工方法。
【発明の詳細な説明】
【技術分野】
【０００１】
本発明は、鎧張り状等に壁材を施工する際に用いられる支持部材及びこの支持部材を用いて壁材を施工する壁材の施工方法に関するものである。
【背景技術】
【０００２】
壁材を鎧張り状に壁下地に施工する方法として、壁材の上部に他の壁材の下部を重ね合わせ、両方の壁材の重ね合わせた部分に釘等の金具を打ち込み、壁下地に固定する方法がある。しかし、この方法では、金具が壁材の外側（表面）に露呈し、外観が悪くなるという問題がある。また、壁材を鎧張り状に施工する際に、壁材同士を重ね合わせる位置を一定にする必要があり、その方法として、重ねる位置を示す印をあらかじめ壁材に付け、その印に合わせて壁材を重ねながら施工する方法がある。しかし、この方法では、印を確認しながら壁材同士を重ね合わせる必要があるため、作業に時間がかかる。さらに、ほぼ垂直な壁下地に壁材を施工する場合、金具を打ち入れる際に、壁材を手や腕でしっかりと押さえて支持しながら施工する必要があり、作業が困難であった。
【０００３】
そこで、鎧張り状に壁材を施工する方法として、裏面に斜め溝を形成した壁材を用い、この斜め溝に係合する係合片を有する固定具で、壁材同士を固定する方法が開示されている（特許文献１及び特許文献２参照）。特許文献１では、固定具として、第１の壁材の上端部に当接する前面片及び上面片と、第２の壁材の斜め溝に係合する係合片と、第２の壁材の下端部に当接する支持片と、前面片に設けられた釘孔と、からなるものが開示されている。また、特許文献２では、固定具として、釘孔がなく、第１の壁材の上端部に当接する前面片及び上面片と、第２の壁材の斜め溝に係合する係合片と、第２の壁材の下端部に当接する支持片と、からなるものが開示されている。
【先行技術文献】
【特許文献】
【０００４】
【特許文献１】特開２００３−０５６１５４号公報
【特許文献２】特開２００３−２９３５４９号公報
【発明の概要】
【発明が解決しようとする課題】
【０００５】
しかし、これらの固定具を用いた施工方法では、あらかじめ壁材に斜め溝を設ける必要があり、壁材を加工する必要がある。また、斜め溝を形成するため、壁材には斜め溝の深さ以上の厚みが必要となり、壁材を薄くすることや、軽量化することは困難である。また、施工の際に、壁材の裏面に形成されている斜め溝に固定具の係合片を合わせる必要があり、施工に手間がかかる。また、特許文献２のように釘等の金具で壁材を壁下地に固定していない鎧張り状構造では、強風などにより鎧張り構造にズレや飛散が生じるおそれがある。
【０００６】
本発明は上記の点に鑑みてなされたものであり、壁材の加工の必要がなく、壁材を鎧張り状構造等に固定する際に壁材を手や腕でしっかりと押さえて支持しながら施工する必要がなく、施工を容易にできる支持部材を提供することを目的とするものである。
【課題を解決するための手段】
【０００７】
本発明に係る支持部材は、第１の壁材に仮固定されるように構成された固定部と、
前記第１の壁材に重ねて設置される第２の壁材を支持するように構成された支持部と、
前記固定部の仮固定を解除可能に構成された手掛かり部とを有することを特徴とする。
【０００８】
本発明に係る支持部材において、前記固定部は、切欠を有し、前記手掛かり部は、前記固定部の下端部に設けられていることが好ましい。
【０００９】
本発明に係る支持部材において、前記固定部は、第１片と、前記第１片に設けられた第２片とを有し、前記手掛かり部は、前記固定部の側部に設けられていることが好ましい。
【００１０】
本発明に係る支持部材において、前記固定部は、第１片と、前記第１片に設けられた第２片と、前記第２片に設けられ前記第１片と略平行に延出する第３片とを有し、前記手掛かり部は、前記固定部の側部に設けられていることが好ましい。
【００１１】
本発明に係る壁材の施工方法は、本発明に係る支持部材を用いて、壁材を施工する方法であって、
前記支持部材を前記固定部で第１の壁材に仮固定し、
前記支持部材の前記支持部に、第２の壁材を載せて、前記第２の壁材を前記第１の壁材に重ね、
前記第２の壁材を壁下地に固定した後、前記手掛かり部により前記支持部材の前記固定部の仮固定を解除することを特徴とする。
【発明の効果】
【００１２】
本発明によれば、壁材の加工の必要がなく、壁材を鎧張り状構造等に固定する際に壁材を手や腕でしっかりと押さえて支持しながら施工する必要がなく、施工を容易にできる。
【図面の簡単な説明】
【００１３】
【図１】本発明に係る支持部材の一例と支持部材を用いた施工過程の一例を示すものであり、（ａ）は支持部材の斜視図、（ｂ）は支持部材の側面図、（ｃ）は施工過程の断面図である。
【図２】本発明に係る支持部材のその他の一例を示すものであり、（ａ）は斜視図、（ｂ）は側面図である。
【図３】本発明に係る支持部材のその他の一例と支持部材を用いた施工過程のその他の一例を示すものであり、（ａ）は支持部材の斜視図、（ｂ）は支持部材の側面図、（ｃ）は施工過程の断面図である。
【図４】本発明に係る支持部材のその他の一例と支持部材を用いた施工過程のその他の一例を示すものであり、（ａ）は支持部材の斜視図、（ｂ）は支持部材の側面図、（ｃ）は施工過程の断面図である。
【図５】本発明に係る壁材の施工方法の一例を示すものであり、（ａ）〜（ｄ）は断面図である。
【図６】本発明に係る壁材の施工方法のその他の一例を示すものであり、（ａ）〜（ｄ）は断面図である。
【図７】本発明に係る壁材の施工方法のその他の一例を示すものであり、（ａ）〜（ｄ）は断面図である。
【図８】本発明に係る壁材の施工方法の一例を示すものであり、（ａ）〜（ｄ）は正面概略図である。
【図９】本発明に係る壁材の施工方法のその他の一例を示すものであり、（ａ）〜（ｄ）は正面概略図である。
【図１０】本発明に係る壁材の施工方法のその他の一例を示すものであり、（ａ）〜（ｄ）は正面概略図である。
【発明を実施するための形態】
【００１４】
以下、本発明の実施の形態を説明する。
【００１５】
本発明に係る支持部材１は、鎧張り状等の壁構造を施工する際に用いることができる。図１（ｃ）に、壁材の施工過程の一例を示す。本発明に係る支持部材１は、図１（ｃ）のように、複数の壁材６が上下に重なって、固着具７により壁下地８に固定された壁構造を施工する際に用いることができる。壁構造において、複数の壁材６が、上下に重なる壁材として、下の壁材である第１の壁材６ａと、上の壁材である第２の壁材６ｂとを含む。このような壁構造を施工する際には、第１の壁材６ａを固着具７により壁下地８に固定した後、支持部材１を第１の壁材６ａに仮固定する。あるいは、第１の壁材６ａに支持部材１を配置した後、固着具７で支持部材１を第１の壁材６ａに仮固定すると同時に、第１の壁材６ａを壁下地８に固定する。そして、第２の壁材６ｂを、支持部材１で支持するように、第１の壁材６ａに配置し、第１の壁材６ａの上部に第２の壁材６ｂの下部を重ねる。そして、第２の壁材６ｂを支持部材１で支持しながら、固着具７により、第２の壁材６ｂを壁下地８に固定する。固着具７としては、釘やビス等を用いることができる。
【００１６】
本発明に係る支持部材１は、固定部２と支持部３と手掛かり部４とを有する。固定部２は、第１の壁材６ａに仮固定される。支持部３は、第１の壁材６ａに重ねて設置される第２の壁材６ｂを支持する。手掛かり部４は、支持部材１の固定部２の仮固定を解除する際に用いる。つまり、手掛かり部４は、第１の壁材６ａから支持部材１を離脱させる際に用いる。壁材６から支持部材１を離脱させる方法として、支持部材１の手掛かり部４を作業者が手でつかみ、支持部材１をスライドさせる方法や、手掛かり部４をハンマー等で叩打する方法などが挙げられる。
【００１７】
壁材６の形状は特に限定されないが、例えば矩形状であってもよく、図８のように矩形状の４隅のうち上辺の２隅が欠けた形状であってもよい。
【００１８】
壁材６には、固着具７を挿入する位置に印をつけておくことが好ましい。印がつけられていると、施工の際に、固着具７を打入する位置決めがしやすく、施工が容易になるため好ましい。または、固着具７を打入するための固定用孔９があらかじめ設けられていることが好ましく、固着具７をより打入しやすくなる。壁材６を壁下地８に安定的に固定できるのであれば、固定用孔９は１枚の壁材６に１個でもよく、２個でもよく、３個以上設けられていてもよい。固定用孔９の数は少なくてもよく、多くてもよい。固定用孔９の数が少なければ、工程が少なくなり施工が容易になる。固定用孔９の数が多ければ、壁材６を壁下地８に強固に固定することが可能になる。なお、固定用孔９を複数個設けている場合、壁材６を壁下地８に固定する際に、全ての固定用孔９を使用する必要は無く、現場において適宜選択しても良いものである。
【００１９】
壁材６の鎧張り構造において、壁材６が一重である部分がないほうが好ましい。つまり、壁下地８の表面に壁材６が２枚以上重なっていることが好ましい。壁材６が一重となっている部分がなく、壁材６が重なっていれば、より優れた防水性を得ることができる。また、外からの熱を伝えにくく、内部の熱も放出しにくくなるため、より優れた断熱性も得ることができる。さらに、より優れた遮音性も得ることができる。また、壁材６は３枚以上重なっている部分があることがより好ましく、さらに優れた上記の効果を得ることができる。
【００２０】
壁材６と壁下地８の間には、断熱性、遮水性、防火性、遮音性等を有する層が設けられていてもよい。
【００２１】
本発明に係る支持部材１を用いて、壁材６を施工する方法は、第１工程〜第４工程を有する。第１工程では、支持部材１を固定部２で第１の壁材６ａに仮固定する。次に、第２工程では、支持部材１の支持部３に、第２の壁材６ｂを載せて、第２の壁材６ｂを第１の壁材６ａに重ねる。このように、支持部材１の支持部３が第２の壁材６ｂを支持するため、第２の壁材６ｂを手や腕でしっかりと押さえて支持しながら施工する必要がなくなり、第２の壁材６ｂを手や腕で軽く押さえる程度でよく、より作業が容易になり、作業時間の短縮を図ることができ、作業性が向上する。また、壁材６同士を上下に重ねる際の位置決めが容易になり、壁材６を斜めに施工するおそれがなく、外観を損なうおそれがなくなり、意匠性を向上させることができ、安定した施工品質を得ることができる。そして、第３工程では、第２の壁材６ｂを壁下地８に固定する。最後に、第４工程では、手掛かり部４により支持部材１の固定部２の仮固定を解除する。このようにすれば、支持部材１を再利用することが可能であり、コストを削減することができる。鎧張り状の壁構造を施工する際には、１種類の支持部材１を用いて壁材６を施工してもよく、複数種類の支持部材１を用いて壁材６を施工してもよい。
【００２２】
以下、本発明に係る支持部材１の複数の具体例と、それぞれの支持部材１を用いて壁材６を施工する方法について、より詳細に説明する。
（第１の態様）
図１に支持部材１の一例を示す。支持部材１は、固定部２と支持部３と手掛かり部４とを有する。固定部２の形状は特に限定されないが、例えば矩形状の平板とすることができる。固定部２の大きさは、上下方向に５〜７ｃｍ、幅方向に５〜２０ｃｍが好ましい。また、固定部２は、釘やビス等の固着具７を挿入するための切欠５を有する。第１の態様では、固定部２の形状が矩形状の平板である場合について説明する。支持部材１において、矩形状の平板である固定部２を垂直に立てた場合に、固定部２の支持部３が設けられている側を下側、固定部２の支持部３が設けられた側の反対側を上側とする。また、支持部材１の左右方向の長さを幅という。支持部３及び手掛かり部４の幅は、適宜設定され、固定部２の幅と同じであってよく、異なっていてもよい。
【００２３】
図１の形態では、切欠５は、固定部２の上端部が開口し、固定部２の上下方向に設けられている。この場合、切欠５は、固定部２の上下方向に長い形状であることが好ましい。
切欠５は、図１（ａ）のように、固定部２に１個設けられていてもよく、図２（ａ）のように、固定部２の上端縁の左右方向に２個設けられていてもよく、３個以上設けられていてもよい。なお、図２（a）のように、切欠５が固定部２の上端縁の左右方向に複数個設けられている支持部材１の場合は、固定部２の大きさは、幅方向に５０ｃｍ程度まで広幅としてもよい。また、図２（ａ）のように、切欠５の側部の固定部２の表面に、固定部２の上下方向に沿って、壁材６の重なり幅を正確に調整することができる目盛１０等が設けられていてもよい。また、図示は省略しているが、切欠５は、固定部２の左又は右端部が開口し、固定部２の左右方向に設けられていてもよい。この場合、切欠５は、固定部２の左右方向に長い形状であることが好ましい。切欠５が、固定部２の左又は右端部に設けられている場合、固定部２の側端部の上下方向に、複数の切欠５が設けられていてもよく、壁材６同士の重なり幅を調整しやすくなる。
【００２４】
切欠５の幅は、固着具７の頭部の径よりは小さく、かつ固着具７の軸部の径よりは大きい部分を有することが好ましい。切欠５が、幅がこの範囲である部分を有すると、切欠５のその部分に固着具７を挿入し、固着具７の頭部で固定部２を壁材６に仮固定することができる。切欠５の形状は、図１（ａ）のようにＵ字型であっても、その他の形状であってもよい。例えば、切欠５は、下端がＬ字状に曲がっていたり、上端が固定具７の外形寸法よりも僅かに狭くなっていて、簡単には抜け落ちにくいような形状であってもよい。
【００２５】
図１の形態では、支持部３は、固定部２の下端縁から略垂直に延出していることが好ましい。支持部３の形状は特に限定されないが、例えば矩形状の平板とすることができる。固定部２及び支持部３の形状は、図１（ｂ）のようにＬ字状であってよい。支持部３の固定部２の下端縁からの長さは、壁材６を支持できる長さであれば特に限定されず、図１（ｃ）のように、第２の壁材６ｂの厚みより長くてもよく、短くてもよい。
【００２６】
図１の形態では、手掛かり部４は、第１片１４と、第１片１４に設けられる第２片１５を有する。第１片１４及び第２片１５の形状は特に限定されないが、矩形状の平板とすることができる。第１片１４は、固定部２の下側に設けられている。第１片１４は、固定部２の下端縁から延出して設けられていてもよい。第２片１５は、支持部３と向かい合うように第１片１４に設けられている。第２片１５は、壁材６から支持部材１を離脱する際に、力を加える部分となる。つまり、第２片１５は、例えば、作業者が手で支持部材１をスライドさせる場合は、手でつかむ部分となり、ハンマー等で支持部材１を打ってスライドさせる場合は、ハンマー等で打つ部分となる。手掛かり部４の第１片１４と第２片１５のなす角度は、鋭角であることが好ましく、３０〜９０度であることがより好ましい。この角度であれば、手掛かり部４により力を加えやすく、支持部材１を壁材６からより離脱させやすくなる。
【００２７】
また、図示は省略しているが、切欠５が、固定部２の左又は右端部が開口し、固定部２の側端部に設けられている場合は、切欠５を有していない固定部２の側部に手掛かり部４を有していてもよい。このとき、矩形状の平板である１片のみからなる手掛かり部４を固定部２の側部から略垂直に設けてもよい。このとき、手掛かり部４は、固定部２の下側及び側部の両方に設けられていてよく、どちらか一方のみであってもよい。固定部２の側端部に設けられた切欠５に固着具７が挿入されることにより支持部材１が壁材６に仮固定されている場合、支持部材１を壁材６から離脱させる方法としては、例えば、手掛かり部４に力を加え、切欠５を有していない固定部２の側部方向に支持部材１を横にスライドさせるとよい。
【００２８】
支持部材１は、プラスチック板、金属板等を用い、打ち抜き加工や曲げ加工により形成することができる。また、支持部材１に用いる板の厚みは１．５ｍｍ以下が好ましい。板の厚みが１．５ｍｍ以下であれば、加工しやすく、容易に支持部材１を作製することができる。また、壁材６の鎧張り状構造から支持部材１を離脱する際に、離脱前と離脱後で壁材６同士の隙間の距離が変化しにくいため、固着具７が緩みにくくなる。支持部材１の厚みは均一であってもよく、均一でなくてもよい。
【００２９】
支持部３は、例えば、固定部２をプレス加工等により屈曲させることで形成することができる。手掛かり部４の第１片１４は、例えば、固定部２又は支持部３をプレス加工等により屈曲させることで形成することができる。手掛かり部４の第２片１５は、例えば、第１片１４をプレス加工等により屈曲させることで形成することができる。あるいは、図２（ｂ）のように、材料となる平板を屈曲させて固定部２及び支持部３の上面を作成し、支持部３の上面を屈曲させて支持部３の下面を作成し、支持部３の下面を屈曲させて手掛かり部４の第１片１４を作成し、第１片１４を屈曲させて手掛かり部４の第２片１５を作成してもよい。さらに、手掛かり部４の第２片１５を屈曲させて、第２片１５の下面を作成してもよく、手掛かり部４の第２片１５が二重になっていれば、手掛かり部４の強度をより高めることができる。あるいは、固定部２、支持部３、手掛かり部４の第１片１４、及び第２片１５を構成するそれぞれの平板を、接着剤や熱融着等でくっつけることにより、支持部材１を作成してもよい。
【００３０】
図示は省略しているが、固定部２と支持部３にまたがるように、リブ（補強材）を設けてもよい。リブを設けることにより、壁材６の重量の影響により固定部２又は支持部３が第２の壁材１ｂを支持できずに固定部２と支持部３のなす角度が開くことを防止しやすくなり、支持部材１の寿命を延ばすことができる。手掛かり部４の第１片１４と第２片１５にまたがるように、リブ（補強材）を設けてもよい。リブを設けることにより、壁材６から支持部材１を離脱させるために手掛かり部４に力を加えた際に、第１片１４と第２片１５のなす角度が開くことを防止しやすくなり、支持部材１の寿命を延ばすことができる。リブの形状は、第１片１４と第２片１５にまたがって細長い形状でもよく、その他の形状であってもよい。
【００３１】
次に、本発明の壁構造に施工方法の一例について、図５及び図８を用いて説明する。図５及び図８の壁材６の施工方法は、下記の第１工程〜第４工程を有する。
【００３２】
第１工程では、図５（ａ）及び図８（ａ）のように、支持部材１において、支持部３が下側に位置するようにした状態で、支持部材１の固定部２を第１の壁材６ａと接するように、支持部材１を第１の壁材６ａの所定の位置に配置する。所定の位置に配置するとは、支持部材１の切欠５を、第１の壁材６ａにおいて、固着具７を挿入する位置と重なるように配置することを意味する。第１の壁材６ａに固定用孔９が設けられている場合は、固定部２の切欠５が第１の壁材６ａの固定用孔９に重なるように配置することが好ましい。第１の壁材６ａに複数の固定用孔９が設けられている場合は、少なくとも一つの固定用孔９に支持部材１を配置すればよく、第２の壁材６ｂを支持できる位置の固定用孔９に支持部材１を配置すればよい。例えば、第１の壁材６ａの両端の固定用孔９に支持部材１を配置してもよく、第１の壁材６ａの中央の固定用孔９に支持部材１を配置してもよい。図２（ａ）のように、支持部材１の固定部２が左右方向に複数の切欠５を有する場合、支持部材１を、左右方向に並んだ２枚の壁材６にまたがるように配置してもよい。
【００３３】
次に、第１の壁材６ａに配置した支持部材１の切欠５に、固着具７を挿通する。第１の壁材６ａに固定用孔９が設けられている場合は、支持部材１を配置した固定用孔９に、固着具７を挿入する。そして、図５（ａ）のように、固着具７をハンマーなどで叩打するなどして第１の壁材６ａ側に打入し、第１の壁材６ａを壁下地８に固定すると共に、支持部材１を第１の壁材６ａに仮固定する。固着具７で第１の壁材６ａを壁下地８に固定することにより、強風による壁材６の飛散やズレをより抑えることができる。なお、第１の壁材６ａにおいて、支持部材１を配置していない部分に、固着具７を打入し、第１の壁材６ａを壁下地８に固定してもよい。また、図８（ａ）のように、壁材６に複数の固定用孔９が設けられている場合、支持部材１を配置しない固定用孔９にも、固着具７を打入することが好ましい。支持部材１を配置しない固定用孔９にも、固着具７を打入することにより、より強固に壁材６を壁下地８に固定することができる。支持部材１を配置している固定用孔９のみに固着具７を打入してもよい。
【００３４】
本発明に係る壁材６の施工方法は、支持部材１の固定部２が第１の壁材６ａに仮固定され、支持部材１の支持部３に第２の壁材６ｂの下端部が載せられることにより、複数の壁材６が上下に重ねられる。図１又は図２の支持部材１を用いる場合、複数の壁材６において、壁材６同士の上下の重なり幅は、支持部材１の固定部２を仮固定する位置に依存する。つまり、第１の壁材６ａにおいて、支持部材１の支持部３から第１の壁材１ａの上端部までが、複数の壁材６を重ねたときの壁材６同士の重なり幅となる。第１の壁材６ａにおいて、支持部材１を仮固定する位置は、適宜設定され、壁構造において壁材６が一重となる部分がないように設定されることが好ましく、壁材６が３枚重なる部分があるように設定されることがより好ましい。
【００３５】
第２工程では、図５（ｂ）及び図８（ｂ）のように、第２の壁材６ｂを、支持部材１の固定部２に重ね、第１の壁材６ａに重なるように設置する。そして、第２の壁材６ｂを、支持部材１の支持部３で支持する。これにより、支持部材１の支持部３が第２の壁材６ｂを支持するため、第２の壁材６ｂを手や腕でしっかりと押さえて支持しながら施工する必要がなくなり、第２の壁材６ｂを手や腕で軽く押さえる程度でよく、より作業が容易になり、作業時間の短縮を図ることができ、作業性が向上する。また、壁材６同士を上下に重ねる際の位置決めが容易になり、壁材６を斜めに施工するおそれがなく、外観を損なうおそれがなくなり、意匠性を向上させることができ、安定した施工品質を得ることができる。第２の壁材６ｂは、支持部材１の固定部２及び支持部３と接していることが好ましく、支持部材１が第２の壁材６ｂをより安定して支持することができる。第２の壁材６ｂを支持できているのであれば、支持部材１の支持部３の少なくとも一部が、第２の壁材６ｂと接していればよく、また、支持部材１の固定部２は第２の壁材６ｂと接していなくてもよい。さらに、鎧張り状構造において、固着具７が外側に露呈せず、外観を損なうおそれがない。
【００３６】
第３工程では、図５（ｃ）及び図８（ｃ）のように、第２の壁材６ｂを第１工程と同様に、固着具７で壁下地８に固定する。固着具７で第２の壁材６ｂを壁下地８に固定することにより、強風による壁材６の飛散やズレをより抑えることができる。
【００３７】
このように、第１工程〜第３工程を必要に応じて繰り返すことにより、壁下地８に鎧張り状に壁材６を施工することができる。
【００３８】
第４工程では、図５（ｄ）及び図８（ｄ）のように、支持部材１の固定部２の仮固定を解除する。つまり、支持部材１を、第１の壁材６ａ、第２の壁材６ｂとの間から離脱させる。図１のように固定部２の上端部が開口した切欠５が設けられている支持部材１の場合、支持部材１を下にスライドさせて、壁材６から離脱させる。また、固定部２の左又は右端部が開口した切欠５が設けられている支持部材１の場合、支持部材１を横にスライドさせて、壁材６から離脱させる。第４工程は、第３工程が終了するたびに行ってもよく、いくつかの第３工程を経た後、いくつかまとめて行ってもよく、全ての壁材６の施工が終わった後、行ってもよい。なお、離脱した支持部材１を再利用して壁材６の施工をしてもよい。支持部材１を再利用することにより、コストを削減することができる。
（第２の態様）
図３に支持部材１のその他の一例を示す。この支持部材１も、固定部２と支持部３と手掛かり部４とを有する。図３の形態では、固定部２は、第１片２１と、第１片２１に設けられた第２片２２とを有する。第１片２１と第２片２２とのなす角度は、略垂直であることが好ましい。固定部２は、さらに、図３のように、第２片２２に設けられた第３片２３を有していることが好ましい。第３片２３を有していれば、壁材６をより安定して支持することができる。この場合、第１片２１と第３片２３とは、略平行であることが好ましい。第１片２１、第２片２２、第３片２３は、矩形状の平板とすることができる。第１片２１の上下方向の寸法は、壁材６を施工する際に壁材６が三枚重なっている部分の上下方向の長さが５ｃｍ程度となるように、適宜定めることが好ましく、また幅方向の寸法は１０〜３０ｃｍが好ましい。
【００３９】
第２の態様では、第１片２１の形状が矩形状の平板である場合について説明する。支持部材１において、矩形状の平板である第１片２１を垂直に立てた場合に、第１片２１の支持部３が設けられている側を下側、第１片２１の第２片２２が設けられている側を上側とする。また、支持部材１の第１片２１の左右方向の長さを、支持部材１の幅という。支持部３、第２片２２、第３片２３の幅は、適宜設定され、第１片２１の幅と同じであってよく、異なっていてもよい。
【００４０】
本発明に係る壁材の施工方法は、支持部材１の固定部２が第１の壁材６ａに仮固定され、支持部材１の支持部３に第２の壁材６ｂの下端部が載せられることにより、複数の壁材６が上下に重ねられる。図３の支持部材１を第１の壁材６ａに仮固定する際には、固定部２の第１片２１が第１の壁材６ａの表面に、第２片２２が第１の壁材６ａの上端面に、第３片２３が第１の壁材６ａの裏面に位置する。第３片２３は、第１の壁材６ａと壁下地８との間に位置する。
【００４１】
ここで、複数の壁材６において、壁材６同士の上下の重なり幅は、支持部材１の第１片２１において、支持部３から第２片２２までの上下方向の長さに依存する。つまり、第１の壁材６ａに支持部材１を仮固定した際に、第１片２１の支持部３から第２片２２までが、複数の壁材６を重ねたときの壁材６同士の重なり幅となる。支持部材１の第１片２１において、支持部３から第２片２２までの上下方向の長さは、第１の壁材６ａの上端部から固着具７を挿入した位置までの長さよりも長いことが好ましい。この場合、第１の壁材６ａに挿入された固着具７が隠れるように、第２の壁材６ｂを施工することができ、固着具７が壁構造の外側（表面）に露呈しないため、意匠性をより向上させることができる。また、支持部３から第２片２２までの上下方向の長さは、壁材６が３枚重なる部分があるように設定されることがより好ましい。
【００４２】
第３片２３の端部は、第１の壁材６ａと壁下地８との間に差し込みやすいように、例えば、角をなくす等の加工がされていてもよい。
【００４３】
図３の形態では、支持部３は、固定部２の第１片２１の下端縁から略垂直に延出していることが好ましい。支持部３の形状は、特に限定されないが、例えば矩形状の平板とすることができる。支持部３及び第１片２１の形状は、図３（ｂ）のようにＬ字状であってよい。支持部３の第１片２１の下端縁からの長さは、壁材６を支持できるように適宜設定され、図３（ｃ）のように、第１の壁材６ａの厚みより長くてもよく、短くてもよい。
【００４４】
図３の形態では、手掛かり部４は、支持部材１の側部に設けられている。手掛かり部４は、固定部２の第１片２１の側部に設けられていることが好ましい。手掛かり部４は、支持部材１の一方の側部の少なくとも一部に設けられていることが好ましい。図３のように、手掛かり部４は、固定部２の第１片２１の左又は右端部全体に設けられていてもよい。また、手掛かり部４が、固定部２の第１片２１の側部に設けられている場合、図３のように、手掛かり部４は支持部３とも接していることがより好ましい。手掛かり部４が、固定部２の第１片２１及び支持部３の両方に接している場合、手掛かり部４の強度をより高くすることができ、支持部材３の寿命をより長くすることができる。
【００４５】
図３の形態では、支持部材１を壁構造から離脱させるには、例えば、手掛かり部４に力を加え、手掛かり部４を有している固定部２の側部方向に支持部材１を横にスライドさせるとよい。
【００４６】
手掛かり部４の固定部２の右又は左側端縁からの長さは、適宜設定される。手掛かり部４の固定部２の右又は左側端縁からの長さは、第２の壁材６ｂの厚みよりも長いことが好ましい。この場合、壁材６の施工過程で、第２の壁材６ｂが、支持部材１の手掛かり部４と接するように配置された場合に、手掛かり部４の第２の壁材６ｂの厚み方向から突出した部分に力を加えることにより、壁材６から支持部材１を離脱させることができる。この場合、手掛かり部４の固定部２の右又は左側端縁からの長さは、第２の壁材６ｂの厚みよりも１〜３ｃｍ長いことがより好ましい。
【００４７】
なお、第２の壁材６ｂが、支持部材１の手掛かり部４と接しないように配置される場合は、手掛かり部４の固定部２の右又は左側端縁からの長さは、支持部材１の仮固定を解除できる程度に適宜設定され、例えば、第２の壁材６ｂの厚みよりも短くてもよい。つまり、壁材６から支持部材１を離脱させるために、例えば、支持部材１の手掛かり部４を作業者が手でつかみ、支持部材１をスライドさせる場合は、手でつかめる程度の長さであればよい。また、手掛かり部４をハンマー等で叩打する場合は、ハンマー等で叩打できる程度の長さであればよい。
【００４８】
図示は省略しているが、第１片２１と第２片２２にまたがるように、リブ（補強材）を設けてもよい。また、第１片２１と支持部３にまたがるように、リブ（補強材）を設けてもよい。リブを設けることにより、壁材６の重量の影響により第２片２２又は支持部３が第２の壁材６ｂを支持できずに第１片２１と第２片２２とのなす角度、第１片２１と支持部３のなす角度が開くことを防止しやすくなり、支持部材１の寿命を延ばすことができる。リブの形状は、第１片２１と第２片２２にまたがって細長い形状でもよく、その他の形状であってもよい。
【００４９】
第２の態様の支持部材１は、第１の態様の支持部材１を同様の材料を用い、同様の方法で作成することができる。
【００５０】
次に、本発明の壁構造に施工方法の一例について、図６及び図９を用いて説明する。図６及び図９の壁材６の施工方法は、下記の第１工程〜第４工程を有する。
【００５１】
第１工程では、図６（ａ）及び図９（ａ）のように、支持部材１の固定部２の第２片２２を第１の壁材６ａの上端部に載せて配置し、固定部２の第１片２１を第１の壁材６ａに接するように、支持部材１を第１の壁材６ａの所定の位置に配置する。固定部２が第３片２３を有している場合は、第３片２３が第１の壁材６ａの裏面にくるように配置することが好ましく、第２工程において、より安定して第２の壁材６ｂを支持することができる。
【００５２】
第２工程では、図６（ｂ）及び図９（ｂ）のように、支持部材１の支持部３に、第２の壁材６ｂを載せて、第２の壁材６ｂを第１の壁材６ａに重ねて配置する。これにより、支持部材１の支持部３が第２の壁材６ｂを支持するため、第２の壁材６ｂを手や腕でしっかりと押さえて支持しながら施工する必要がなくなり、第２の壁材６ｂを手や腕で軽く押さえる程度でよく、より作業が容易になり、作業時間の短縮を図ることができ、作業性が向上する。また、壁材６同士を上下に重ねる際の位置決めが容易になり、壁材６を斜めに施工するおそれがなく、外観を損なうおそれがなくなり、意匠性を向上させることができ、安定した施工品質を得ることができる。
【００５３】
ここで、図示は省略しているが、左右方向に２枚の第１の壁材６ａが並んでいる場合、第１工程において、左の第１の壁材６ａには固定部２の左側部に手掛かり部４を有する支持部材１を仮固定し、右の第１の壁材６ａには固定部２の右側部に手掛かり部４を有する支持部材１を仮固定してもよい。このとき、左の第１の壁材６ａに仮固定した支持部材１の手掛かり部４と、右の第１の壁材６ａに仮固定した支持部材１の手掛かり部４との距離は、第２の壁材６ｂの幅と同程度が、それよりも大きいことが好ましい。そして、第２工程において、この２つの支持部材１の支持部３に第２の壁材６ｂを載せて、左右方向に並んだ２枚の第１の壁材６ａにまたがって、第２の壁材６ｂを配置することができる。なお、このとき、支持部材１の大きさは、２枚の支持部材１が重ならないように適宜設定される。第１の壁材１ａに、１枚の第２の壁材６ｂを重ねる際に、複数の支持部材１を用いることにより、第２の壁材６ｂをより安定して支持することができる。なお、十分安定に支持できるのであれば、１つの支持部材１で１枚の第２の壁材６ｂを支持してもよく、この場合、施工が容易になるため好ましい。１つの支持部材１が、左右方向に並んだ２枚の第１の壁材６ａにまたがって配置されてもよい。
【００５４】
第３工程では、図６（ｃ）及び図９（ｃ）のように、第２の壁材６ｂを第一工程と同様に、固着具７で壁下地８に固定する。固着具７で壁材６を壁下地８に固定することにより、強風による壁材６の飛散やズレをより抑えることができる。
【００５５】
このように、第１工程〜第３工程を必要に応じて繰り返すことにより、壁下地８に鎧張り状に壁材６を施工することができる。
【００５６】
第４工程では、図６（ｄ）及び図９（ｄ）のように、支持部材１の固定部２の仮固定を解除する。つまり、支持部材１を、第１の壁材６ａ、第２の壁材６ｂとの間から離脱させる。壁材６から支持部材１を離脱させる方法として、支持部材１の手掛かり部４を手でつかみ、支持部材１をスライドさせる方法や、手掛かり部４をハンマー等で叩打する方法などが挙げられる。図３のように固定部２の右又は左側部に手掛かり部４が設けられている支持部材１の場合、支持部材１を、手掛かり部４が設けられている側に横にスライドさせて、壁材６から離脱させる。第４工程は、第３工程が終了するたびに行ってもよく、いくつかの第３工程を経た後、いくつかまとめて行ってもよく、全ての壁材６の施工が終わった後、行ってもよい。なお、離脱した支持部材１を再利用して壁材６の施工をしてもよい。支持部材１を再利用することにより、コストを削減することができる。
【００５７】
ここで、第３工程において、固着具７は完全に挿入していなくてもよく、少なくとも施工中に第２の壁材６ｂが落下しない程度に、第２の壁材６ｂが固着具７で壁下地８に固定されていればよい。第３工程において、固着具７を完全に挿入していない場合は、第４工程において、壁構造から支持部材１を離脱させた後に、その固着具７を完全に挿入することが好ましい。これにより、支持部材１を離脱させた後で、壁材６同士の間に生じる支持部材１の厚み分の隙間をなくすことができ、固着具７をより緩みにくくすることができる。そして、固着具７で壁材６を壁下地８により強固に固定することができ、強風による壁材６の飛散やズレをより抑えることができる。
【００５８】
また、第３工程において、固着具７は、第２の壁材６ｂの第１の壁材６ａと重なっていない部分に挿入することが好ましい。この場合、１枚の壁材６に固着具７を挿入することになるので、施工をより容易にすることができる。あるいは、固着具７は、第２の壁材６ｂの第１の壁材６ａとが重なっている部分に挿入することも好ましい。この場合、より強固な壁構造を施工することができる。なお、第３工程において、支持部材１の第１片２１と第２の壁材６ｂが重なっている部分には、固着具７を挿入しないようにする。第４工程において、支持部材１を第１の壁材６ａから離脱させた後に、支持部材１の第１片２１と第２の壁材６ｂが重なっていた部分に、固着具７を挿入してもよい。
（第３の態様）
図４に、支持部材１のその他の一例を示す。この支持部材１も、固定部２と支持部３と手掛かり部４とを有する。図４の形態では、固定部２は、第１片３１と、第１片３１に設けられた第２片３２と、第２片３２に設けられた第３片３３とを有する。第１片３１と第２片３２とは略垂直であり、第１片３１と第３片３３とは略平行であることが好ましい。第１片３１、第２片３２、第３片３３は、矩形状の平板とすることができる。第１片３１の上下方向の寸法は、壁材６を施工する際に壁材６が三枚重なっている部分の上下方向の長さが５ｃｍ程度となるように、適宜定めることが好ましく、また幅方向の寸法は１０〜３０ｃｍが好ましい。
【００５９】
第３の態様において、第１片３１の形状が矩形状の平板である場合について説明する。支持部材１において、第１片３１を垂直に立てた場合に、第１片３１の支持部３が設けられている側を上側、第１片３１の第２片３２が設けられた側を下側とする。また、支持部材１の第１片３１の左右方向の長さを、支持部材１の幅という。支持部３、第２片３２、第３片３３の幅は、適宜設定され、第１片３１の幅と同じであってよく、異なっていてもよい。
【００６０】
本発明に係る壁材の施工方法は、支持部材１の固定部２が第１の壁材６ａに仮固定され、支持部材１の支持部３に第２の壁材６ｂの下端部が載せられることにより、複数の壁材６が上下に重ねられる。図４の支持部材１を第１の壁材６ａに仮固定する際には、固定部２の第１片３１が第１の壁材６ａの表面に、第２片３２が第１の壁材６ａの下端面に、第３片３３が第１の壁材６ａの裏面に位置することになる。第３片３３は、第１の壁材６ａと、第１の壁材６ａの下部に重ねられている他の壁材６ｃとの間に位置する。
【００６１】
複数の壁材６において、壁材６同士の上下の重なり幅は、固定部２の第１片３１に設けられた支持部材３から第１片３１の下端部までの長さに依存する。つまり、第１の壁材６ａに支持部材１を仮固定した際に、支持部材１の固定部２の第１片２１に設けられている支持部３から、第１の壁材６ａの上端部までが、複数の壁材６を重ねたときの壁材６同士の重なり幅となる。第１片３１において、支持部材３から第１片３１の下端部までの上下方向の長さは、第１の壁材６ａの下端部から固着具７を挿入した位置までの長さよりも短いことが好ましい。この場合、第１の壁材６ａに挿入された固着具７が隠れるように、第２の壁材６ｂを施工することができ、固着具７が壁構造の外側（表面）に露呈しないため、意匠性をより向上させることができる。また、支持部材３から第１片３１の下端部までの上下方向の長さは、壁材６が３枚重なる部分があるように設定されることがより好ましい。
【００６２】
第３片３３の端部は、第１の壁材６ａと他の壁材６ｃとの間に差し込みやすいように、例えば、角をなくす等の加工がされていてもよい。第２片３２の大きさは、第１の壁材６ａの厚みと略同一であることが好ましい。第３片３３の大きさは、第１の壁材６ａと他の壁材６ｃとの間に挟むことができると共に、支持部３で第２の壁材６ｂを支持できる程度に適宜設定される。
【００６３】
図４の形態では、支持部３は、固定部２の第１片３１の上端縁から略垂直に延出していることが好ましい。支持部３と及び第１片３１の形状は、図４（ｂ）のようにＬ字状であってよい。支持部３の第１片３１の上端縁からの長さは、壁材６を支持できるように適宜設定されるが、図４（ｃ）のように、第２の壁材６ｂの厚みより長くてもよく、短くてもよい。
【００６４】
手掛かり部４は、支持部材１の側部に設けられていることが好ましい。図４では、手掛かり部４は、固定部２の第１片３１の側部に設けられている。手掛かり部４は、支持部材１の側部の少なくとも一部に設けられていることが好ましい。手掛かり部４は、図４のように、固定部２の第１片３１の左又は右端部全体に設けられていてもよい。手掛かり部４は、固定部２の第１片３１の左端部の一部又は右端部の一部に設けられていてもよい。手掛かり部４が、固定部２の第１片３１に設けられている場合、手掛かり部４は支持部３とも接していることがより好ましい。手掛かり部４が、固定部２の第１片３１及び支持部３の両方に接している場合、手掛かり部４の強度をより高くすることができる。
【００６５】
図４の形態では、支持部材１を壁構造から離脱させるには、例えば、手掛かり部４に力を加え、手掛かり部４を有している固定部２の側部方向に支持部材１を横にスライドさせるとよい。手掛かり部４の固定部２の右又は左端縁からの長さは、第２の態様と同様の長さにすることができる。
【００６６】
図示は省略しているが、第１片３１と第２片３２にまたがるように、リブ（補強材）を設けてもよい。また、第１片３１と支持部３にまたがるように、リブ（補強材）を設けてもよい。リブを設けることにより、壁材６の重量の影響により第２片３２又は支持部３が壁材６を支持できずに第１片３１と第２片３２とのなす角度、第１片３１と支持部３のなす角度が開くことを防止しやすくなり、支持部材１の寿命を延ばすことができる。リブの形状は、第１片３１と第２片３２にまたがって細長い形状でもよく、その他の形状であってもよい。
【００６７】
第３の態様の支持部材１は、第１の態様の支持部材１を同様の材料を用い、同様の方法で作成することができる。
【００６８】
次に、本発明の壁構造に施工方法の一例について、図７及び図１０を用いて説明する。図７及び図１０の壁材６の施工方法は、下記の第１工程〜第４工程を有する。
【００６９】
第１工程では、図７（ａ）及び図１０（ａ）のように、支持部材１において、支持部３が上側に位置するようにした状態で、支持部材１の固定部２の第１片３１が第１の壁材６ａの表面に、第２片３２が第１の壁材６ａの下端部に、第３片３３が第１の壁材６ａの裏面にくるように、支持部材１を第１の壁材６ａの所定の位置に配置する。この際、第１の壁材６ａの裏面と、第１の壁材６ａの下部に重ねられている他の壁材６ｃの表面との間に、支持部材１の固定部２の第３片３３を差し込み、第１の壁材６ａと他の壁材６ｃとで、第３片３３を挟む。このとき、支持部材１の固定部２の第１片３１は、第１の壁材６ａの表面と接していることが好ましい。支持部３で第２の壁材６ｂを支持できる程度に、第１の壁材６ａと他の壁材６ｃとで、第３片３３を挟むことが可能であれば、第１片３１と第１の壁材６ａの表面は接していなくてもよい。また、支持部材１の固定部２の第２片３２は、第１の壁材６ａの下端部を接していることが好ましい。支持部３で第２の壁材６ｂを支持できる程度に、第１の壁材６ａと他の壁材６ｃとで、第３片３３を挟むことが可能であれば、第２片３２と第１の壁材６ａの下端部は接していなくてもよい。
【００７０】
第２工程では、図７（ｂ）及び図１０（ｂ）のように、支持部材１の支持部３に、第２の壁材６ｂを載せて、第２の壁材６ｂを第１の壁材６ａに重ねて配置する。これにより、支持部材１の支持部３が第２の壁材６ｂを支持するため、第２の壁材６ｂを手や腕でしっかりと押さえて支持しながら施工する必要がなくなり、第２の壁材６ｂを手や腕で軽く押さえる程度でよく、より作業が容易になり、作業時間の短縮を図ることができ、作業性が向上する。また、壁材６同士を上下に重ねる際の位置決めが容易になり、壁材６を斜めに施工するおそれがなく、外観を損なうおそれがなくなり、意匠性を向上させることができ、安定した施工品質を得ることができる。
【００７１】
ここで、図示は省略しているが、左右方向に２枚の第１の壁材６ａが並んでいる場合、第１工程において、左の第１の壁材６ａには固定部２の左側部に手掛かり部４を有する支持部材１を仮固定し、右の第１の壁材６ａには固定部２の右側部に手掛かり部４を有する支持部材１を仮固定してもよい。このとき、左の第１の壁材６ａに仮固定した支持部材１の手掛かり部４と、右の第１の壁材６ａに仮固定した支持部材１の手掛かり部４との距離は、第２の壁材６ｂの幅と同程度が、それよりも大きいことが好ましい。そして、第２工程において、この２つの支持部材１の支持部３に第２の壁材６ｂを載せて、左右方向に並んだ２枚の第１の壁材６ａにまたがって、第２の壁材６ｂを配置することができる。なお、このとき、支持部材１の大きさは、２枚の支持部材１が重ならないように適宜設定される。第１の壁材１ａに、１枚の第２の壁材６ｂを重ねる際に、複数の支持部材１を用いることにより、第２の壁材６ｂをより安定して支持することができる。なお、十分安定に壁材６を支持できるのであれば、１つの支持部材１で１枚の第２の壁材６ｂを支持してもよく、この場合、施工が容易になるため好ましい。１つの支持部材１は、左右方向に並んだ２枚の第１の壁材６ａにまたがって配置されてもよい。
【００７２】
第３工程では、図７（ｃ）及び図１０（ｃ）のように、第２の壁材６ｂを第１工程と同様に、固着具７で壁下地８に固定する。固着具７で第２の壁材６ｂを壁下地８に固定することにより、強風による壁材６の飛散やズレをより抑えることができる。ここで、固着具７は、第２の壁材６ｂの第１の壁材６ａと重なっていない部分に挿入することが好ましい。この場合、１枚の壁材６に固着具７を挿入することになるので、施工をより容易にすることができる。あるいは、固着具７は、第２の壁材６ｂと第１の壁材６ａとが重なっている部分に挿入することも好ましい。この場合、より強固な壁構造を施工することができる。
【００７３】
このように、第１工程〜第３工程を必要に応じて繰り返すことにより、壁下地８に鎧張り状に壁材６を施工することができる。
【００７４】
第４工程では、図７（ｄ）及び図１０（ｄ）のように、支持部材１を、壁材６ａから離脱させる。壁材６から支持部材１を離脱させる方法として、支持部材１の手掛かり部４を手でつかみ、支持部材１をスライドさせる方法や、手掛かり部４をハンマー等で叩打する方法などが挙げられる。図４のように固定部２の側部に手掛かり部４が設けられている支持部材１の場合、支持部材１を、手掛かり部４が設けられている側に横にスライドさせて、壁材６から離脱させる。第４工程は、第３工程が終了するたびに行ってもよく、いくつかの第３工程を経た後、いくつかまとめて行ってもよく、全ての壁材６の施工が終わった後、行ってもよい。なお、離脱した支持部材１を再利用して壁材６の施工をしてもよい。支持部材１を再利用することにより、コストを削減することができる。
【００７５】
ここで、第３工程において、固着具７は完全に挿入していなくてもよく、少なくとも施工中に第２の壁材６ｂが落下しない程度に、第２の壁材６ｂが固着具７で壁下地８に固定されていればよい。第３工程において、固着具７を完全に挿入していない場合は、第４工程において、壁構造から支持部材１を離脱させた後に、その固着具７を完全に挿入することが好ましい。これにより、支持部材１を離脱させた後で、壁材６同士の間に生じる支持部材１の厚み分の隙間をなくすことができ、固着具７をより緩みにくくすることができる。固着具７で壁材６を壁下地８により強固に固定することができ、強風による壁材６の飛散やズレをより抑えることができる。
【符号の説明】
【００７６】
１  支持部材
２  固定部
３  支持部
４  手掛かり部
５  切欠
６  壁材
６ａ  第１の壁材
６ｂ  第２の壁材
８  壁下地
２１  第１片
２２  第２片
３１  第１片
３２  第２片
３３  第３片
【図１】
2015098745.tif 000003
【図２】
2015098745.tif 000004
【図３】
2015098745.tif 000005
【図４】
2015098745.tif 000006
【図５】
2015098745.tif 000007
【図６】
2015098745.tif 000008
【図７】
2015098745.tif 000009
【図８】
2015098745.tif 000010
【図９】
2015098745.tif 000011
【図１０】
2015098745.tif 000012